(57)【要約】【課題】重畳情報が主画面コンテンツの視聴の邪魔とならないように、重畳情報を表示すること。【解決手段】決定部２０４３は、表示部２０５の主画面に表示される主画面コンテンツの主画面種別、重畳情報の特性及び重畳情報の情報量に基づいて、重畳情報の表示形式を決定する決定し、表示制御部２０４４は、重畳情報を決定された表示形式で、主画面種別に対応する表示領域に表示する。また、決定部２０４３は、主画面コンテンツが切り替わる時、主画面コンテンツが切り替わってから、所定時間経過後、重畳情報の表示形式を更新し、表示制御部２０４４は、重畳情報を更新後の表示形式で、切り替え後の主画面コンテンツの主画面種別に対応する表示領域に表示する。【選択図】図４
2010231630.tif 000002
【特許請求の範囲】
【請求項１】
表示部の主画面にコンテンツ及び前記コンテンツに重畳して重畳情報を表示する情報表示装置であって、
前記主画面に表示される主画面コンテンツの主画面種別、前記重畳情報の特性及び前記重畳情報の情報量に基づいて、前記重畳情報の表示形式を決定する決定手段と、
前記重畳情報を前記表示形式で、前記主画面種別に対応する表示領域に表示する制御手段と、
を具備する情報表示装置。
【請求項２】
前記決定手段は、
前記主画面コンテンツが切り替わる時、前記主画面コンテンツが切り替わってから、所定時間経過後、前記表示形式を更新し、
前記制御手段は、前記重畳情報を更新後の前記表示形式で、切り替え後の前記主画面コンテンツの前記主画面種別に対応する表示領域に表示する、
請求項１に記載の情報表示装置。
【請求項３】
前記主画面種別は、前記主画面コンテンツを提供する事業者又は前記主画面コンテンツのジャンルである、
請求項１に記載の情報表示装置。
【請求項４】
前記重畳情報の特性は、前記重畳情報の情報内容又は重要度である、
請求項１に記載の情報表示装置。
【発明の詳細な説明】
【技術分野】
【０００１】
本発明は、メッセージ或いはガジェット等の各種情報をコンテンツに重ねて表示する情報表示装置及び情報表示方法に関する。
【背景技術】
【０００２】
近年、音楽や映像、ゲーム等のデジタル著作物であるコンテンツを、デジタル放送或いはインターネット等で配信するシステムが開発され、実用化の段階を迎えている。また、配信されたこれらのコンテンツを視聴しながら、メール又はメモ等のメッセージ、或いは、天気又はニュース等を表示するガジェット等の各種情報を、コンテンツの上に重ねて表示する方法が併せて検討されている。
【０００３】
従来技術では、コンテンツ視聴中に、メッセージ或いはガジェット等の各種情報は、コンテンツの視聴が可能な範囲で視聴の邪魔にならないように表示されている。例えば、特許文献１には、コンテンツの上に重ねて表示されるインスタントメッセージを受信すると、主画面の中心から外れた領域に、受信したインスタントメッセージを表示する情報表示装置が開示されている。
【特許文献１】特表２００８−５１０２２２号公報
【発明の開示】
【発明が解決しようとする課題】
【０００４】
しかしながら、従来の情報表示装置には、次のような課題がある。すなわち、従来技術では、情報着信時或いはユーザ操作に基づき、情報表示装置が情報表示を行う際、主画面に表示されるコンテンツ（以下「主画面コンテンツ」という）の内容、又は、主画面コンテンツに重ねて表示される情報（以下「重畳情報」という）の内容に関わらず、重畳情報は主画面の中心から外れた領域に固定的に表示される。
【０００５】
よって、ニュース番組のように、画面中心部以外に文字情報が表示されるような場合、重畳情報がコンテンツの視聴を邪魔したり、といった課題がある。また、重畳情報が緊急事態を伝えるメッセージである場合、メッセージが目立たない領域に表示されてしまったり、といった課題がある。
【０００６】
本発明はかかる点に鑑みてなされたものであり、重畳情報が主画面コンテンツの視聴の邪魔とならないように、重畳情報を表示することができる情報表示装置を提供することを目的とする。
【課題を解決するための手段】
【０００７】
本発明の情報表示装置は、表示部の主画面にコンテンツ及び前記コンテンツに重畳して重畳情報を表示する情報表示装置であって、前記主画面に表示される主画面コンテンツの主画面種別、前記重畳情報の特性及び前記重畳情報の情報量に基づいて、前記重畳情報の表示形式を決定する決定手段と、前記重畳情報を前記表示形式で、前記主画面種別に対応する表示領域に表示する制御手段と、を具備する構成を採る。
【発明の効果】
【０００８】
本発明によれば、重畳情報が主画面コンテンツの視聴の邪魔とならないように、重畳情報を表示することができる。
【発明を実施するための最良の形態】
【０００９】
以下、本発明の実施の形態について、図面を参照して詳細に説明する。
【００１０】
（実施の形態）
図１は、本発明の実施の形態に係る情報表示システムの全体の概略構成を示す図である。
【００１１】
図１の情報表示システムは、端末装置２００においてコンテンツを再生し、各種情報を表示するシステムであって、コンテンツの保持、配信を行うコンテンツ配信サーバ１００と、コンテンツを取得し、再生しつつ、各種情報をコンテンツに重ねて表示する端末装置２００と、これらを相互に接続する伝送路３００と、を含む構成である。
【００１２】
コンテンツ配信サーバ１００は、伝送路３００と接続する機能を有し、コンテンツ及びコンテンツ情報を保持し、端末装置２００にコンテンツ及びコンテンツ情報を送信するサーバ装置、或いは放送局設備である。コンテンツ配信サーバ１００は、ワークステーション等により実現される。
【００１３】
端末装置２００は、伝送路３００と接続する機能を有し、メッセージ或いはガジェット等の各種情報を取得、保持し、ディスプレイ等の表示部（画面）にコンテンツ、及び各種情報を出力し、コンテンツ再生、及び情報表示を行う装置である。
【００１４】
具体的には、端末装置２００は、デジタル放送を受信するためのＳＴＢ（Set Top Box）、デジタルＴＶ（Television）、ＤＶＤ（Digital Versatile Disc）レコーダ、ＨＤＤ（Hard Disk Drive）レコーダ、ＰＣ（Personal Computer）、ＰＤＡ（Personal Digital Assistance）、携帯電話等のデータ再生装置、記録装置、或いは、これらの複合機器である。
【００１５】
伝送路３００は、コンテンツ配信サーバ１００と端末装置２００とを、片方向、或いは双方向に接続するネットワークである。具体的には、伝送路３００は、放送局からの放送信号、イーサネット（登録商標）等の有線ネットワーク、無線ＬＡＮ（Local Area Network）等の無線ネットワーク、或いは、これらが複合したネットワークで構成される。
【００１６】
本実施の形態では、このような情報表示システムにおいて、端末装置２００がコンテンツ表示中に各種情報を主画面コンテンツに重畳して表示し、主画面コンテンツを切り替えた際の各種情報の表示方法を変更する処理について、図２から図１５の図面を用いて詳細に説明する。
【００１７】
ここで、本実施の形態における識別子の定義を行う。
【００１８】
コンテンツ識別子は、情報表示システムにおいてコンテンツを一意に特定するための情報である。
【００１９】
重畳情報識別子は、端末装置２００の表示部（画面）に表示する重畳情報を一意に特定するための情報である。
【００２０】
事業者識別子は、情報表示システムにおいて、コンテンツを提供する事業者を一意に特定するための情報である。
【００２１】
次に、コンテンツ配信サーバ１００及び端末装置２００の詳細な構成について説明する。
【００２２】
先ず、コンテンツ配信サーバ１００の詳細な構成について説明する。図２は、コンテンツ配信サーバ１００の詳細な構成を示すブロック図である。
【００２３】
コンテンツ格納部１１１は、コンテンツを格納する。
【００２４】
コンテンツ情報格納部１１２は、コンテンツに関する情報であるコンテンツ情報を格納する。
【００２５】
通信部１０１は、伝送路３００と接続し、端末装置２００と通信を行う。
【００２６】
コンテンツ取得・送信部１０２は、コンテンツ格納部１１１からコンテンツを取得し、コンテンツ情報格納部１１２からコンテンツ情報を取得し、取得したコンテンツ及びコンテンツ情報を端末装置２００に送信する。
【００２７】
次に、端末装置２００の詳細な構成について説明する。図３は、端末装置２００の詳細な構成を示すブロック図である。
【００２８】
重畳情報格納部２１１は、表示部２０５の主画面に重畳して表示する重畳情報を格納する。重畳情報は、例えば、メッセージ、メモ、ガジェット、メール等である。
【００２９】
表示制御ルール格納部２１２は、重畳情報の表示制御ルールを格納する。
【００３０】
主画面切り替え時表示制御ルール格納部２１３は、表示部２０５の主画面コンテンツが切り替わり遷移する際の重畳情報の表示制御ルールを格納する。
【００３１】
通信部２０１は、伝送路３００と接続し、コンテンツ配信サーバ１００、及び他の端末装置と通信を行う。
【００３２】
コンテンツ受信・再生部２０２は、コンテンツ配信サーバ１００から送信されるコンテンツを受信、或いは取得し、再生する。
【００３３】
表示情報受信部２０３は、ユーザ指示受付部２０６を通じて端末装置２００に入力されたメッセージを重畳情報格納部２１１に格納する。また、表示情報受信部２０３は、通信部２０１を通じて外部端末装置から通知されるメッセージを取得し、又は、天気等の情報を受信する。表示情報受信部２０３は、取得したメッセージ又は受信した天気等の情報を重畳情報格納部２１１に格納する。
【００３４】
表示情報制御部２０４は、重畳情報の表示位置及び表示形式を制御し、重畳情報を主画面コンテンツに重ねて表示する。図４は、表示情報制御部２０４の内部構成を示すブロック図である。
【００３５】
重畳情報取得部２０４１は、重畳情報格納部２１１から重畳情報を取得する。
【００３６】
表示対象判定部２０４２は、重畳情報の表示条件に基づいて、主画面コンテンツに重ねて表示する重畳情報の有無を判定する。換言すると、表示対象判定部２０４２は、表示対象の重畳情報を判定する。表示対象判定部２０４２における判定方法については、後述する。
【００３７】
決定部２０４３は、表示制御ルール格納部２１２、又は主画面切り替え時表示制御ルール格納部２１３から表示制御ルールを取得し、取得した表示制御ルールに基づいて、重畳情報の表示位置及び表示形式を決定する。決定部２０４３における表示方法（表示位置及び表示形式）の決定方法については、後述する。
【００３８】
表示制御部２０４４は、決定した表示方法で重畳情報を表示部２０５に表示する。
【００３９】
更新判定部２０４５は、表示対象と判定された重畳情報の表示条件に基づいて、重畳情報の表示方法を更新するか否かの要否を判定する。更新判定部２０４５における判定方法については、後述する。
【００４０】
再度、図３に戻り、表示部２０５は、プラズマディスプレイパネル又は液晶パネル（図示せず）等の表示デバイスであり、コンテンツ、及び重畳情報を表示する。
【００４１】
ユーザ指示受付部２０６は、リモコン或いは端末装置２００への直接操作等によるユーザからの入力を受け付ける。例えば、ユーザ指示受付部２０６は、コンテンツを特定するコンテンツ識別子、コンテンツ取得指示、重畳情報、重畳情報表示指示等の入力を受け付ける。
【００４２】
以上、コンテンツ配信サーバ１００、及び、端末装置２００の詳細な構成について説明した。
【００４３】
コンテンツ配信サーバ１００、及び端末装置２００を構成する各格納部、及び各処理部において、各格納部は、ＨＤＤ、ＲＡＭ（Random Access Memory）等の記憶媒体で実現され、各処理部はＬＳＩ（Large Scale Integration）等のハードウェア或いはＣＰＵ（Central Processing Unit）、ＲＡＭ、ＲＯＭ（Read Only Memory）等を利用して実行されるプログラム等によって実現される。なお、端末装置２００において各格納部、各処理部は、ハード的或いはソフト的に耐タンパされていることが望ましい。
【００４４】
次に、本実施の形態において扱うデータ、及びデータ構造について説明する。
【００４５】
先ず、コンテンツ配信サーバ１００の各格納部の詳細及び各格納部が保持するデータについて図面を参照して説明する。
【００４６】
コンテンツ格納部１１１は、コンテンツを管理するデータベースであって、コンテンツ配信スケジュール、或いは端末装置２００からのコンテンツ取得要求に含まれるコンテンツ識別子に対応したコンテンツを取得するために用いられる。具体的には、コンテンツ格納部１１１は、図５に示すように、コンテンツ識別子Ｄ４０１と、コンテンツ識別子Ｄ４０１に対応するコンテンツＤ４０２とからなるコンテンツ管理テーブルＤ４００を有する。
【００４７】
例えば、図５は、コンテンツ識別子Ｄ４０１は、「ＣＯＮＴＥＮＴ−ＩＤ−０００１」のコンテンツＤ４０２が、「ＣＯＮＴＥＮＴ−ＤＡＴＡ−０００１」であることを示している。なお、コンテンツ格納部１１１へのコンテンツ及びコンテンツ識別子の登録は、コンテンツプロバイダ等によって行われる。
【００４８】
コンテンツ情報格納部１１２は、コンテンツに関する情報であるコンテンツ情報を管理するデータベースであって、コンテンツ配信スケジュール、或いは端末装置２００からのコンテンツ取得要求に含まれるコンテンツ識別子に対応したコンテンツ情報、を取得するために用いられる。
【００４９】
具体的には、コンテンツ情報格納部１１２は、図６に示すように、コンテンツ識別子Ｄ５０１と、コンテンツの種別を示すコンテンツジャンルＤ５０２とが対応付けられたコンテンツ情報管理テーブルＤ５００を有する。例えば、図６は、コンテンツ識別子Ｄ５０１が「ＣＯＮＴＥＮＴ−ＩＤ−０００１」の場合、コンテンツジャンルＤ５０２が「ニュース」であることを示している。なお、コンテンツ情報格納部１１２へのコンテンツ情報の登録は、コンテンツプロバイダ等によって行われる。
【００５０】
コンテンツ格納部１１１及びコンテンツ情報格納部１１２から取得されたコンテンツ及びコンテンツ情報は、端末装置２００に送信される。
【００５１】
次に、端末装置２００の各格納部が保持するデータについて図面を参照して説明する。
【００５２】
重畳情報格納部２１１は、重畳情報を管理するデータベースであって、端末装置２００の表示部２０５に表示される主画面コンテンツに重畳して表示される重畳情報を取得するために用いられる。
【００５３】
具体的には、重畳情報格納部２１１は、図７に示すように、重畳情報識別子Ｄ６０１と、重畳情報の分類を示す情報分類Ｄ６０２と、重畳情報の内容を示す情報内容Ｄ６０３と、画面における重畳情報が表示される領域の大きさの初期値を示す基本情報量Ｄ６０４と、重畳情報の重要度を示す重要度Ｄ６０５と、重畳情報の表示条件を示す表示条件Ｄ６０６と、が対応付けられた重畳情報管理テーブルＤ６００を有する。
【００５４】
例えば、図７は、重畳情報識別子Ｄ６０１が「ＩＮＦＯ−ＩＤ−０００１」の場合、重畳情報の情報分類Ｄ６０２が「メモ」であり、情報内容Ｄ６０３が「冷蔵庫のカレーを温めて」であり、基本情報量Ｄ６０４が「５ポイント」であり、重要度Ｄ６０５が「高」であり、表示条件Ｄ６０６が「〜１月５日１２時まで」であることを示している。
【００５５】
重畳情報管理テーブルＤ６００に含まれるデータのうち、重畳情報の分類を示す情報分類Ｄ６０２及び重畳情報の重要度を示す重要度Ｄ６０５は、重畳情報の特性を示している。また、重畳情報が表示される領域の大きさの初期値を示す基本情報量Ｄ６０４は、重畳情報の情報量を示している。
【００５６】
なお、重畳情報管理テーブルＤ６００において、基本情報量の単位として用いているポイントは、表示部２０５の画面全体の領域を１００としたとき、重畳情報の表示領域の大きさが１の領域を示す。したがって、基本情報量は、重畳情報の表示により占有する領域を示す。なお、基本情報量の単位は、ポイントに限られず、情報表示システムで一意に決まるものであれば、どのようなものを用いてもよい。
【００５７】
重畳情報格納部２１１へのデータ登録は、（１）ユーザ指示受付部２０６を通じて端末装置２００にメッセージが入力された場合、（２）通信部２０１を通じて外部端末から通知されるメッセージ、天気等の情報を取得、或いは受信した場合、或いは、（３）ブラウザ等を通じてインターネット上から取得したデータ、ガジェット等の情報を取得した場合に、表示情報受信部２０３よって行われる。
【００５８】
表示制御ルール格納部２１２は、表示制御ルールを管理するデータベースであって、重畳情報の表示を制御する表示制御ルールを取得するために用いられる。
【００５９】
具体的には、表示制御ルール格納部２１２は、図８に示すように、事業者を示す事業者識別子Ｄ７０１と、主画面コンテンツのジャンルを示す主画面ジャンルＤ７０２と、重畳情報を表示可能な領域を示す表示可能領域Ｄ７０３と、主画面ジャンルＤ７０２に応じた重畳情報の表示制御条件を示す表示制御条件Ｄ７０４と、が対応付けられた表示制御ルール管理テーブルＤ７００を有する。
【００６０】
図８は、例えば、事業者識別子Ｄ７０１が「ＣＰ−ＩＤ−０００１」であり、主画面ジャンルＤ７０２が「ニュース」である場合、表示可能領域Ｄ７０３が「右上半分」であり、表示制御条件Ｄ７０４が「ニュース情報表示ＮＧ」であることを示している。
【００６１】
また、図８は、主画面ジャンルＤ７０２が「ニュース」であっても、事業者識別子Ｄ７０１が「ＣＰ−ＩＤ−０００２」である場合には、事業者識別子Ｄ７０１が「ＣＰ−ＩＤ−０００１」の場合と異なり、表示可能領域Ｄ７０３は「上半分」であり、表示制御条件Ｄ７０４が「１５ポイントまで表示ＮＧ」であることを示している。このように、事業者識別子又は主画面ジャンルによって、重畳情報を表示する表示可能領域又は表示制御条件が決まる。すなわち、事業者識別子又は主画面ジャンルは、主画面に表示されるコンテンツの種別を示しているといえる。
【００６２】
このように、表示制御ルール格納部２１２は、主画面コンテンツの種別に応じた表示制御ルールを管理する。なお、表示制御ルール格納部２１２へのデータ登録又は更新は、端末装置２００の出荷時に予め登録する、或いは通信部２０１を通じて事業者機器や他端末等から受信することにより行われる。表示制御ルールの登録又は更新は、通信部２０１を通じて行うことができるので、事業者、端末メーカー等による柔軟な表示制御が可能となる。
【００６３】
なお、本実施の形態では、事業者がコンテンツジャンル毎に表示制御ルールを設定するとして説明するが、全事業者共通の表示制御ルールを設定する、又は、コンテンツジャンル以外の分類毎に表示制御ルールを設定する等してもよい。
【００６４】
また、以上の説明では、事業者側の視点で表示制御ルールを設定するとして説明したが、ユーザ側の視点でユーザ自身が見やすいように設定するとしてもよい。この場合、事業者がユーザに設定を許可する項目と許可しない項目とを設けるようにしてもよい。例えば、表示可能領域はユーザが設定可能な項目とし、表示制御条件はユーザが設定不可な項目とする等してもよい。
【００６５】
主画面切り替え時表示制御ルール格納部２１３は、主画面切り替え時の表示制御ルールを管理するデータベースであって、重畳情報表示時に主画面コンテンツを切り替える際、重畳情報の表示方法を制御する表示制御ルールを取得するために用いられる。
【００６６】
具体的には、主画面切り替え時表示制御ルール格納部２１３は、図９に示すように、主画面コンテンツを提供する事業者を示す事業者識別子Ｄ８０１と、主画面コンテンツが切り替え先コンテンツに遷移してから重畳情報の表示方法を変更するまでの所定時間を示す表示変更タイミングＤ８０２と、重畳情報の表示方法を変更する際の制御条件を示す表示遷移条件Ｄ８０３とからなる主画面切り替え時表示制御ルール管理テーブルＤ８００と、を有する。
【００６７】
例えば、図９は、事業者識別子Ｄ８０１が「ＣＰ−ＩＤ−０００１」の場合、表示変更タイミングＤ８０２が「５秒」であり、主画面切り替え時条件Ｄ８０３が「ゆっくりと移動」であることを示している。
【００６８】
なお、主画面切り替え時表示制御ルール格納部２１３への表示制御ルールの登録又は更新は、端末装置２００の出荷時に予め登録する、或いは通信部２０１を通じて事業者機器や他端末等から受信することにより行われる。通信部２０１を介した表示制御ルールの登録、更新により、事業者、端末メーカー等による柔軟な表示制御が可能となる。
【００６９】
なお、本実施の形態では、事業者毎に表示制御ルールが設定される場合を例に説明するが、全事業者に共通の表示制御ルールが設定されるようにしたり、コンテンツジャンル等の分類毎に表示制御ルールが設定されるようにしてもよい。また、以上の説明では、事業者側の視点で表示制御ルールが設定される場合について説明したが、ユーザ側の視点でユーザ自身が見やすいように表示制御ルールが設定されるようにしてもよい。
【００７０】
以上、本実施の形態で扱うデータのデータ構造について説明した。
【００７１】
次に、情報表示システムにおいて、端末装置２００がコンテンツを受信し、［１］主画面でコンテンツを再生しつつ、主画面コンテンツに重畳情報を重ねて表示する、及び［２］重畳情報表示時に主画面コンテンツの切り替えを行う際の重畳情報の表示方法の変更に必要となる処理について説明する。
【００７２】
上記［１］及び［２］の処理を実現するには、端末装置２００において、（１）重畳情報取得・格納処理、（２）コンテンツ受信・表示処理、（３）重畳情報表示処理、及び、（４）主画面コンテンツ切り替え時の重畳情報表示変更処理が必要となる。以下、上記（１）〜（４）の各処理について、図１０から図１５を参照して説明する。
【００７３】
（１）重畳情報取得・格納処理
先ず、端末装置２００の表示情報受信部２０３が、重畳情報を取得し、重畳情報格納部２１１に格納するまでの各部の処理について説明する。
【００７４】
表示情報受信部２０３は、ユーザからのメッセージ等の情報入力、及びデータ取得指示により、重畳情報取得・格納処理を開始する。ユーザは端末装置２００のアプリケーションに対して、重畳情報として主画面コンテンツに重ねて表示したいメッセージ、或いは取得したいデータを特定する情報を、ユーザ指示受付部２０６を通じて入力する。
【００７５】
ユーザ指示受付部２０６は、ユーザからの入力を受け付け、表示情報受信部２０３は、入力されたメッセージ等の情報を重畳情報として取得する。或いは、表示情報受信部２０３は、入力されたデータを特定する情報に基づき重畳情報を取得する。表示情報受信部２０３は、取得した重畳情報に重畳情報識別子を付与し、対応する情報分類、重要度、表示条件等と共に重畳情報格納部２１１に格納する。
【００７６】
例えば、母親が休日の朝に外出する際、寝ている子供に対して、「冷蔵庫のカレーを温めて」とメモを残す場合、ユーザ指示受付部２０６は、情報分類としては「メモ」、重要度は「高」、表示条件は「〜１月５日１２時まで表示」等を入力させる。また、表示情報受信部２０３は、これら重畳情報の基本情報量を自動計算する。
【００７７】
このようにして、端末装置２００の表示情報受信部２０３は、重畳情報と、情報分類及び重要度等の重畳情報の特性と、基本情報量と、表示条件とを対応付けて、重畳情報格納部２１１に格納する。
【００７８】
なお、ユーザ指示受付部２０６は、テンプレート又は選択肢形式により、情報入力を容易にする、或いは、重畳情報の表示イメージをユーザに提示し、ユーザが、重畳情報の情報量又は表示条件等を変更することができるようにしてもよい。
【００７９】
また、お天気ガジェットのように、ユーザが重畳情報として取得すべきガジェットをユーザ指示受付部２０６において指定した場合には、表示情報受信部２０３がお天気ガジェットを自動的に取得し、重畳情報格納部２１１に格納するようにしてもよい。なお、表示情報受信部２０３は、ガジェットの情報を取得する場合、ガジェットそのものでなく、ガジェットが自動的に取得したデータを取得し、重畳情報格納部２１１に格納する。
【００８０】
以上の説明では、端末装置２００に対して、ユーザが直接メッセージ、或いはデータを特定する情報をユーザ指示受付部２０６に入力する場合について説明したが、表示情報受信部２０３が、メール等、外部端末から送られてきた重畳情報を受信した場合においても、表示情報受信部２０３は、同様の方法で、重畳情報を重畳情報格納部２１１に格納する。
【００８１】
なお、この場合、表示情報受信部２０３は、情報分類及び重要度等の重畳情報の特性を、メールの差出人が指定する他、メールの中身から推定する、又は、差出人情報等の既存情報に基づき自動的に付与する等により設定する。重畳情報の取得及び重畳情報の特性を設定する方法については、様々な方法が考えられるが、本発明の本質ではないため、他の方法の詳細な説明は省略する。
【００８２】
以上のようにして、表示情報受信部２０３は、重畳情報を取得し、取得した重畳情報と、当該重畳情報の特性及び表示条件とを対応付けて重畳情報格納部２１１に格納する。
【００８３】
（２）コンテンツ受信・表示処理
次に、端末装置２００のコンテンツ受信・再生部２０２が、コンテンツ配信サーバ１００からコンテンツを受信し、表示部２０５に表示するまでの各部の処理について説明する。
【００８４】
コンテンツ受信・再生部２０２は、ユーザからの情報入力、及びコンテンツ取得指示により、コンテンツ取得処理を開始する。ユーザは、端末装置２００のアプリケーションに対して、コンテンツ識別子、又は、コンテンツ識別子に準ずる情報を、ユーザ指示受付部２０６を通じて入力する。以下では、ユーザが、コンテンツ識別子「ＣＯＮＴＥＮＴ−ＩＤ−０００１」を入力し、コンテンツ受信・再生部２０２が、コンテンツ取得処理を開始した場合を例に説明する。
【００８５】
ユーザ指示受付部２０６がユーザからの入力を受け付けると、コンテンツ受信・再生部２０２は、コンテンツ識別子を含むコンテンツ取得要求メッセージを生成し、通信部２０１を通じて、生成したコンテンツ取得要求メッセージをコンテンツ配信サーバ１００に送信する。
【００８６】
コンテンツ配信サーバ１００が、通信部１０１を通じて、コンテンツ取得要求メッセージを受信する。次に、コンテンツ取得・送信部１０２は、コンテンツ取得要求メッセージから、コンテンツ識別子「ＣＯＮＴＥＮＴ−ＩＤ−０００１」を抽出し、コンテンツ格納部１１１、及びコンテンツ情報格納部１１２から、対応するコンテンツ「ＣＯＮＴＥＮＴ−ＤＡＴＡ−０００１」、及びコンテンツジャンル「ニュース」を取得する。
【００８７】
そして、コンテンツ取得・送信部１０２は、取得したコンテンツ、コンテンツジャンル、及び事業者識別子「ＣＰ−ＩＤ−０００１」を含むコンテンツ送信メッセージを生成し、通信部１０１を通じて、生成したコンテンツ送信メッセージを端末装置２００に送信する。
【００８８】
端末装置２００のコンテンツ受信・再生部２０２は、通信部２０１を通じてコンテンツ送信メッセージを受信すると、受信したコンテンツを表示部２０５の主画面に表示する。また、コンテンツ受信・再生部２０２は、コンテンツジャンル、及び事業者識別子を、表示中のコンテンツに関連する情報として記憶する。
【００８９】
なお、ここでは、コンテンツ取得・再生の例として、コンテンツ配信サーバ１００が、インターネットを通じてオンデマンド配信する場合について説明したが、コンテンツ配信サーバ１００が放送局の場合、コンテンツ配信サーバ１００は、配信スケジュール等からコンテンツ識別子を抽出し、対応するコンテンツ、コンテンツジャンル、及び事業者識別子を多重化し、放送波として配信するようにしてもよい。コンテンツ、コンテンツジャンル、及び事業者識別子の配信方法については、様々な方法、運用が考えられるが本発明の本質ではないため、詳細な説明は省略する。
【００９０】
ユーザが視聴するコンテンツを切り替えた場合、切り替え後のコンテンツ毎に上記処理が行われる。
【００９１】
以上のようにして、コンテンツ受信・再生部２０２は、ユーザからのコンテンツ取得指示により、コンテンツ配信サーバ１００よりコンテンツを取得し、取得したコンテンツを表示部２０５の主画面に表示する。
【００９２】
（３）重畳情報表示処理
次に、端末装置２００の表示情報制御部２０４が、重畳情報格納部２１１に格納される重畳情報を、主画面コンテンツに重ねて表示するまでの各部の処理について、図１０を参照して説明する。
【００９３】
表示情報制御部２０４は、ユーザからの重畳情報表示指示により、重畳情報表示処理を開始する（ステップＳ９０１）。ユーザは、重畳情報表示指示を、ユーザのリモコン操作等により、ユーザ指示受付部２０６を通じて入力する。
【００９４】
先ず、表示情報制御部２０４の表示対象判定部２０４２は、重畳情報格納部２１１から表示対象となる重畳情報の有無を確認し、表示処理の要否を判定する（ステップＳ９０２）。重畳情報格納部２１１に格納される重畳情報管理テーブルＤ６００には、図７で説明したように、重畳情報を表示する期間等の表示条件が含まれている。
【００９５】
例えば、重畳情報識別子Ｄ６０１が「ＩＮＦＯ−ＩＤ−０００１」の場合、表示条件Ｄ６０６は「〜１月５日  １２時まで」である。この場合、表示対象判定部２０４２は、現在時刻を取得し、現在時刻が表示条件の期間に含まれる場合は、表示対象となる重畳情報が有ると判定し、現在時刻が表示条件の期間に含まれない場合は、表示対象となる重畳情報がないと判定する。
【００９６】
表示対象判定部２０４２は、重畳情報格納部２１１の重畳情報管理テーブルＤ６００に格納されている全ての重畳情報について上記判定を行う。次に、表示対象判定部２０４２は、表示条件に合致するものが一つでもあれば、表示対象となる重畳情報が有り、表示処理要と判定する（ステップＳ９０２：ＹＥＳ）。一方、表示条件に合致するものがない場合には、表示対象判定部２０４２は、表示対象となる重畳情報がなく、表示処理不要と判定する（ステップＳ９０２：ＮＯ）。
【００９７】
他の表示条件としては、「メッセージの内容確認するまで」、「天気が雨の場合」、「表示指示を行ったユーザが父」、「娘向けの情報」等、種々想定される。表示対象判定部２０４２は、各々の表示条件の判定に必要な情報を端末装置内、及び端末装置外から取得し、表示対象となる重畳情報の有無を判定する。なお、表示条件の項目はこれらに限定されるものではない。
【００９８】
表示対象判定部２０４２は、表示処理不要と判定した場合（ステップＳ９０２：ＮＯ）、ユーザに表示対象となる重畳情報がない旨を通知し、処理を終了する（ステップＳ９１１）。なお、表示対象判定部２０４２は、通知内容に、表示対象となる重畳情報がない理由、例えば、『お父さん向けのメッセージはありません』、『本日、表示する情報はありません』等の情報を通知内容に含めるようにしてもよい。
【００９９】
表示対象判定部２０４２が表示処理要と判定した場合（ステップＳ９０２：ＹＥＳ）、決定部２０４３は、コンテンツ受信・再生部２０２から、主画面コンテンツに対応するコンテンツ情報を取得する（ステップＳ９０３）。具体的には、コンテンツ識別子「ＣＯＮＴＥＮＴ−ＩＤ−０００２」のコンテンツを視聴している場合、決定部２０４３は、コンテンツ識別子「ＣＯＮＴＥＮＴ−ＩＤ−０００２」に対応する事業者識別子「ＣＰ−ＩＤ−０００１」、及びコンテンツジャンル「野球」を取得する。以降では、ユーザが、コンテンツ識別子「ＣＯＮＴＥＮＴ−ＩＤ−０００２」のコンテンツ視聴中に、表示情報制御部２０４が、重畳情報表示指示を受けた場合を例に説明する。
【０１００】
決定部２０４３は、コンテンツ受信・再生部２０２から取得した事業者識別子、及びコンテンツジャンルをキーとして、表示制御ルール格納部２１２から、主画面コンテンツに対応する表示制御ルールを特定し、取得する（ステップＳ９０４）。具体的には、主画面コンテンツ（コンテンツ識別子「ＣＯＮＴＥＮＴ−ＩＤ−０００２」）に対応する事業者識別子「ＣＰ−ＩＤ−０００２」、及びコンテンツジャンル「野球」をキーとして表示制御ルールを特定し、表示可能領域「下４分の３」、表示制御条件「表示情報量が１０ポイントまで」を取得する。
【０１０１】
重畳情報取得部２０４１は、ステップＳ９０２で表示処理要と判定された重畳情報を重畳情報格納部２１１から取得する（ステップＳ９０５）。
【０１０２】
決定部２０４３は、重畳情報・表示形式決定プロセス（ステップＳ９０６）を実施する。重畳情報・表示形式決定プロセスについては、後述する。
【０１０３】
表示制御部２０４４は、重畳情報更新プロセス（ステップＳ９０７）を実施し、重畳情報表示処理を終了する。重畳情報更新プロセスについては、後述する。
【０１０４】
次に、図１１のフローチャートを参照して、図１０におけるステップＳ９０６の重畳情報・表示形式決定プロセスについて説明する。
【０１０５】
決定部２０４３は、ステップＳ９０４で取得した表示制御ルールから、主画面種別に対応する表示制御条件を抽出し（ステップＳ１００１）、抽出した表示制御条件に関連するパラメータ又は関連情報を取得する（ステップＳ１００２）。
【０１０６】
具体的には、決定部２０４３は、事業者識別子「ＣＰ−ＩＤ−０００２」、及びコンテンツジャンル「野球」に対応する表示制御条件である「表示情報量が１０ポイントまで」という情報を取得する。次に、決定部２０４３は、表示制御条件の充足確認に必要な各重畳情報の表示情報量を取得する。例えば、ステップＳ９０２において、表示対象判定部２０４２により、図７の上から３行の重畳情報が表示対象要と判定された場合、決定部２０４３は、「５ポイント」、「１０ポイント」、「２ポイント」を取得する。
【０１０７】
そして、決定部２０４３は、ステップＳ１００２で取得したこれらパラメータ又は関連情報に基づき、重畳情報の情報内容及び基本情報量が表示制御条件を満たすか否かを判定する（ステップＳ１００３）。
【０１０８】
重畳情報の情報内容及び基本情報量が表示制御条件を満たす場合（ステップＳ１００３：ＮＯ）、決定部２０４３は、ステップＳ１００４を行わず、後述するステップＳ１００５の処理へ移行する。
【０１０９】
一方、重畳情報の情報内容及び基本情報量が表示制御条件を満たさない場合（ステップＳ１００３：ＹＥＳ）、決定部２０４３は、表示制御条件を満たさない重畳情報の基本情報量を変更したり、或いは、表示制御条件を満たさない重畳情報を表示対象から外し、表示レイアウトから削除したりする（ステップＳ１００４）。
【０１１０】
具体的には、表示制御条件が「表示情報量が１０ポイントまで」であり、表示対象と判定された重畳情報の基本情報量「５ポイント」、「１０ポイント」、「２ポイント」の合計が１７ポイントの場合、表示制御条件を満たさない。この場合、決定部２０４３は、各重畳情報の重要度に基づき、重要度の低いものから、表示形式の変更、或いは表示対象から外す処理を行う（ステップＳ１００４）。
【０１１１】
図７の上から３行の重畳情報をレイアウトする場合には、決定部２０４３は、例えば、重要度が低い重畳情報識別子「ＩＮＦＯ−ＩＤ−０００２」の重畳情報をアイコン化して表示すると決定する。重畳情報識別子「ＩＮＦＯ−ＩＤ−０００２」の重畳情報をアイコン化することにより、基本情報量を「１０ポイント」から「３ポイント」以下に変更することができ、この結果、３つの基本情報量の合計が１０ポイントとなり、表示制御条件を満たすことができるようになる。
【０１１２】
このように、決定部２０４３は、主画面種別に対応する表示制御条件を満たすように、重畳情報の特性及び重畳情報の基本情報量に基づいて、重畳情報の表示形式を変更したり、或いは、表示対象から外す重畳情報を選択し、選択した重畳情報の表示形式を非表示と決定したりする。
【０１１３】
なお、決定部２０４３は、「重要度の低い情報内容のアイコン化」、「重要度の低い情報内容の削除」等の表示情報量の削減方法を、予め表示制御条件に含めるようにしてもよい。また、「他情報と重複する情報、又は、更新がある情報は表示しない」という表示制御条件の場合に、同一差出人からの複数メールがある場合には、決定部２０４３は、最新のメール以外を表示対象から外し、最新のメールのみを表示すると決定するようにしてもよい。また、「ニュース情報表示ＮＧ」という表示制御条件の場合、ステップＳ９０２において、表示対象判定部２０４２が、重畳情報の情報分類、及び情報内容に基づき、重畳情報を表示対象とするか否かを判定するようにしてもよい。
【０１１４】
表示制御部２０４４は、主画面コンテンツの事業者識別子、及び主画面ジャンル、すなわち主画面種別に応じた表示可能領域に、決定部２０４３によって、必要に応じて表示形式、表示対象が変更された重畳情報のレイアウトを作成し表示する（ステップＳ１００５）。
【０１１５】
図１２は、図７の上から３行の重畳情報のレイアウト例を示す図である。図１２の主画面コンテンツの事業者識別子は「ＣＰ−ＩＤ−０００２」であり、主画面ジャンルが「野球」の場合の例である。この主画面コンテンツの視聴中、野球のスコアＧ１０１が常に表示されるようにするため、表示制御条件として、重畳情報の表示可能領域が「下４分の３」に設定されている（図８参照）。図１２に示す例は、重畳情報識別子「ＩＮＦＯ−ＩＤ−０００１」、及び「ＩＮＦＯ−ＩＤ−０００３」の情報内容が、基本情報量のままメモ表示Ｇ１１１及びガジェット表示Ｇ１１３として表示され、重畳情報識別子「ＩＮＦＯ−ＩＤ−０００２」がアイコン化され、基本情報量が変更されてアイコンＧ１１２として表示された例である。
【０１１６】
なお、重畳情報の表示位置、色の濃さ、配色等のレイアウトは、ユーザが設定できるようにしてもよい。
【０１１７】
表示制御部２０４４は、表示可能領域、情報量に応じたレイアウトで重畳情報を表示する（ステップＳ１００６）。
【０１１８】
以上のようにして、決定部２０４３は、重畳情報・表示形式決定プロセスを実施する。
【０１１９】
なお、以上の説明では、決定部２０４３が、主画面種別に対応する表示制御条件に基づいて、重畳情報の表示形式に制限を加える例について説明した。ここで、重畳内容が緊急を要する場合は、表示制御条件を無視して、表示制御部２０４４が、重畳情報を適した形式で表示するようにしてもよい。例えば、表示制御部２０４４は、「おじいちゃんが緊急入院した」といった緊急を要する連絡事項を、表示制御条件を無視し、例外的に画面の中央に大きく表示する等してもよい。
【０１２０】
次に、図１３のフローチャートを参照して、図１０におけるステップＳ９０７の重畳情報更新プロセスについて説明する。
【０１２１】
更新判定部２０４５は、ステップＳ９０６で表示対象と判定された各重畳情報の表示条件を抽出し（ステップＳ１１０１）、状況変化に基づき、重畳情報の表示方法を更新するか否かの要否を判定する（ステップＳ１１０２）。具体的には、表示条件として「１月５日〜２２時  小さく」又は「常に表示」を抽出した場合、更新判定部２０４５は、前者では、時間と共に小さく表示する必要があるため表示の更新・削除が必要と判定し、後者では更新・削除が不要と判定する。
【０１２２】
更新判定部２０４５は、重畳情報の表示の更新が不要と判定した場合（ステップＳ１１０２：ＮＯ）、重畳情報更新プロセス（ステップＳ９０７）を終了する。
【０１２３】
一方、更新判定部２０４５は、重畳情報の表示の更新が必要と判定した場合（ステップＳ１１０２：ＹＥＳ）、表示条件に関連するパラメータや関連情報を取得する（ステップＳ１１０３）。関連するパラメータや関連情報を取得の具体例についてはステップＳ１１０２と同様のため、説明を省略する。
【０１２４】
更新判定部２０４５は、ステップＳ１１０３で取得したパラメータや関連情報、及び表示条件に基づき、現在の状況で重畳情報の表示の更新、或いは削除といった処理が必要か否かを判定する（ステップＳ１１０４）。ここで、更新・削除処理が必要な場合、更新判定部２０４５は、重畳情報表示の更新・削除処理を行う（ステップＳ１１０５）。
【０１２５】
具体的には、表示条件が「〜１月５日１２時まで」の場合に、現在時刻が１１時ならば、更新判定部２０４５は、更新・削除処理は不要と判定し、表示制御部２０４４は、更新・削除処理を行わない。これに対し、現在時刻が１２時ならば、更新判定部２０４５は、更新・削除処理が必要と判定し、表示制御部２０４４は、重畳情報の表示を削除する処理を行う。
【０１２６】
このように、所定時間又は「ユーザが一度確認するまで」といった更新トリガの検出が必要な場合、更新トリガ検出部（図示せず）に検出条件として所定時間又はユーザ動作を設定し、トリガ検出時に対応する表示変更を行う。
【０１２７】
また、表示条件が「１月５日〜２２時  小さく」のように、時間経過に伴って継続的に表示を変更する必要がある場合には、表示制御部２０４４は、数十秒毎に所定の表示更新処理を行う、或いは、ポーリングして処理内容を確認する等行うことにより実現することができる。なお、時間に応じて、或いは、ユーザ操作等に応じて、重畳情報の表示サイズを縮小、拡大する場合、ユーザの視点移動を少なくするために、表示制御部２０４４は、重畳情報の中心点、中心線、及びフレーム端を固定して拡大する、縮小する等してもよい。
【０１２８】
以上のような、表示されている重畳情報の更新は、時間経過と共に重要度が低くなる情報の表示、又は、時間経過と共に情報の重要度が高まる情報の表示等に特に有効である。例えば、「２２時帰宅」等の伝言メールは、帰宅時間の２２時に近づくにつれ重要度が低くなるので、２２時に近づくにつれ小さく表示するようにすることができる。また、「本日は雨」等のお天気ガジェットは、出勤時間が近づくに重要度が高くなるので、出勤時間が近づくにしたがい大きく表示するようにすることができる。
【０１２９】
以上のようにして、更新判定部２０４５及び表示制御部２０４４は、重畳情報更新プロセスを実施する。
【０１３０】
以上のようにして、表示情報制御部２０４は、重畳情報表示指示を受け付けてから、重畳情報格納部２１１に格納される重畳情報を主画面コンテンツに重ねて表示する。
【０１３１】
（４）主画面切り替え時の重畳情報表示変更処理
最後に、端末装置２００の表示情報制御部２０４が、重畳情報表示時に、主画面切り替え指示を受け付けてから、重畳情報の表示位置及び表示形式を切り替え先の主画面コンテンツに適した表示方法に変更するまでの各部の処理について図１４を参照して説明する。
【０１３２】
表示情報制御部２０４は、重畳情報表示時に、ユーザからの主画面切り替え指示により、主画面切り替え時の重畳情報表示変更処理を開始する（ステップＳ１２０１）。ユーザは、主画面切り替え指示を、ユーザのリモコン操作等により、ユーザ指定受付部２０６を通じて入力する。
【０１３３】
決定部２０４３は、コンテンツ受信・再生部２０２から、切り替え先のコンテンツに対応する事業者識別子を取得し、事業者識別子をキーとして、主画面切り替え時表示制御ルール格納部２１３から、表示変更タイミング、及び主画面表示切り替え条件を特定し、取得する（ステップＳ１２０２）。
【０１３４】
決定部２０４３は、主画面コンテンツが切り替え先のコンテンツに遷移してからの時間をタイマーによりカウントし、カウント値が表示変更タイミングに達すると、以降の表示変更処理を行う（ステップＳ１２０３）。例えば、表示変更タイミングが「５秒」の場合、切り替え前と同じ表示方法で重畳情報が５秒間表示された後、初めて重畳情報の表示方法が変更される。
【０１３５】
これにより、ユーザがザッピング視聴を行う際にも、重畳情報の表示方法はめまぐるしく変わることなく、ユーザが落ち着いて主画面コンテンツを見る状態になってから、重畳情報の表示方法が切り替えられることになる。
【０１３６】
表示対象判定部２０４２及び決定部２０４３は、表示変更タイミングに達した主画面コンテンツに対して、先述した重畳情報・表示形式決定プロセスを適用し、表示対象を判定し、表示形式を決定する（ステップＳ１２０４）。
【０１３７】
表示制御部２０４４は、切り替え先のコンテンツの種別に対応する表示領域に、主画面切り替え時条件に基づき、重畳情報を表示する（ステップＳ１２０５）。
【０１３８】
具体的には、主画面切り替え時条件が「ゆっくりと移動」の場合、表示制御部２０４４は、ザッピング中は、ザッピング前と同一の表示方法で重畳情報を表示し続ける。そして、ザッピングが終了し、表示変更タイミングが示す所定時間が経過すると、表示制御部２０４４は、ザッピング前の表示方法から、切り替え先の主画面コンテンツに適した新たな表示方法に、重畳情報をゆっくりとスライド移動する。
【０１３９】
また、表示制御部２０４４は、ザッピング中は、重畳情報を表示せず、ザッピングが完了し、所定時間が経過してから、切り替え先の主画面コンテンツに適した新たな表示方法で、重畳情報を表示するようにしてもよい。また、表示制御部２０４４は、ザッピング中は、重畳情報の色を薄くしたり、表示サイズを小さくしたりして表示するようにしてもよい。
【０１４０】
例えば、図１２に示すように重畳情報が表示されている状態から、事業者識別子「ＣＰ−ＩＤ−０００２」のコンテンツジャンル「ニュース」に、主画面コンテンツが切り替えられた場合における、表示された重畳情報の更新について説明する。
【０１４１】
図１２の主画面コンテンツに重畳して表示されている重畳情報の基本情報量は、図７に示したように、「５ポイント」、「１０ポイント」、「２ポイント」であり、基本情報量の合計は「１７ポイント」である。ここで、切り替え先のコンテンツの事業者識別子「ＣＰ−ＩＤ−０００２」、主画面ジャンル「ニュース」に対応する表示制御条件は「１７ポイント」である。
【０１４２】
したがって、重畳情報の基本情報量の合計は、表情制御条件を満たす。すなわち、主画面切り替え時の重畳情報表示変更処理フローの重畳情報・表示形式決定プロセス（ステップＳ１２０４）における、表示制御条件の充足確認（ステップＳ１００３）では、表示制御条件が満たされる。
【０１４３】
そのため、主画面コンテンツ切り替え後は、重畳情報の基本情報量のまま表示が可能となる。図１５は、主画面コンテンツ切り替え後の重畳情報のレイアウト例を示す図である。図１５に示すように、切り替え前には、アイコンＧ１１２で表示されていた「帰りは２２時頃になります」という伝言メールが、メッセージ表示Ｇ２１２に変更され表示される。
【０１４４】
また、切り替え後の主画面コンテンツの表示可能領域は「上半分」のため、情報内容「冷蔵庫のカレーを温めて」は、メモ表示Ｇ１１１からメモ表示Ｇ２１１へ、情報内容「お天気ガジェット」は、ガジェット表示Ｇ１１３からガジェット表示Ｇ２１３へ、それぞれ表示位置が変更されている。
【０１４５】
このような表示位置の変更により、表示制御部２０４４は、ニュース番組のテロップＧ２０１に重畳情報が重ならないようにして表示することができるため、主画面コンテンツの視聴を妨げることなく、重畳情報を表示することができる。
【０１４６】
なお、表示制御部２０４４は、重畳情報の表示サイズを変更する際、先述した重畳情報更新プロセスで述べたように、重畳情報の中心点、中心線、及びフレーム端を固定して拡大する、としてもよい。また、表示制御部２０４４は、重畳情報の表示位置を変更する際、同様の理由で、重畳情報の中心点、中心線、及びフレーム端を固定して表示位置を移動するとしてもよい。
【０１４７】
以上のようにして、表示情報制御部２０４は、重畳情報表示時に、主画面切り替え指示を受け付けた場合に、切り替え先の主画面コンテンツに適した表示方法に変更して重畳情報を表示する。
【０１４８】
以上のように、端末装置２００は、（１）重畳情報取得・格納処理、（２）コンテンツ受信・表示処理、（３）重畳情報表示処理を行うことにより、主画面コンテンツの切り替え毎にユーザ操作を必要とすることなく、主画面種別、重畳情報の特性、及び重畳情報の基本情報量に応じて、適切な情報量、表示位置及び表示形式で重畳情報を表示しつつ、主画面コンテンツの視聴を、より邪魔しないようにすることができる。
【０１４９】
また、端末装置２００は、主画面切り替え時に、上述したような（４）重畳情報表示変更処理を行うことにより、ユーザがチャンネルザッピング等を行う際にも、重畳情報の表示がめまぐるしく変わることなく、適切な表示変更を行うことができる。
【０１５０】
なお、以上の説明では、主画面で何かしらのコンテンツが再生されている場合について説明したが、主画面にコンテンツが表示されていない場合、或いは、主画面に、デジタルＴＶ上でのＷｅｂブラウザによるブラウジングが表示されている場合等、主画面にコンテンツ以外が表示されている場合においても、本発明は適用可能である。
【０１５１】
例えば、主画面に何も表示されていない場合には、表示可能領域が「全領域」であり、表示制御条件は「特に無し」であり制約がないとして、表示情報制御部２０４は、重畳情報を主画面の領域に任意に表示すればよい。
【産業上の利用可能性】
【０１５２】
本発明は、ＤＶＤ等のパッケージメディアによるコンテンツ配信サービス受信端末、デジタル放送、ＣＡＴＶ、インターネット等によるコンテンツ表示端末等として有用である。
【図面の簡単な説明】
【０１５３】
【図１】本発明の一実施の形態に係る情報表示システムの全体の概略構成を示す図
【図２】上記実施の形態に係るコンテンツ配信サーバの構成を示すブロック図
【図３】上記実施の形態に係る端末装置の構成を示すブロック図
【図４】上記実施の形態に係る表示情報制御部の構成を示すブロック図
【図５】上記実施の形態に係るコンテンツ格納部のテーブル構成を示す図
【図６】上記実施の形態に係るコンテンツ情報格納部のテーブル構成を示す図
【図７】上記実施の形態に係る重畳情報格納部のテーブル構成を示す図
【図８】上記実施の形態に係る表示制御ルール格納部のテーブル構成を示す図
【図９】上記実施の形態に係る主画面切り替え時表示制御ルール格納部のテーブル構成を示す図
【図１０】重畳情報を表示する処理を示すフローチャート図
【図１１】重畳情報・表示形式決定プロセスを示すフローチャート図
【図１２】重畳情報表示時の主画面を示す図
【図１３】重畳情報更新プロセスを示すフローチャート図
【図１４】主画面切り替え時に表示変更する処理を示すフローチャート図
【図１５】主画面切り替え後の主画面を示す図
【符号の説明】
【０１５４】
１００  コンテンツ配信サーバ
１０１、２０１  通信部
１０２  コンテンツ取得・送信部
１１１  コンテンツ格納部
１１２  コンテンツ情報格納部
２００  端末装置
２０２  コンテンツ受信・再生部
２０３  表示情報受信部
２０４  表示情報制御部
２０４１  重畳情報取得部
２０４２  表示対象判定部
２０４３  決定部
２０４４  表示制御部
２０４５  更新判定部
２０５  表示部
２０６  ユーザ指示受付部
２１１  重畳情報格納部
２１２  表示制御ルール格納部
２１３  主画面切り替え時表示制御ルール格納部
３００  伝送路
【図１】
2010231630.tif 000003
【図２】
2010231630.tif 000004
【図３】
2010231630.tif 000005
【図４】
2010231630.tif 000006
【図５】
2010231630.tif 000007
【図６】
2010231630.tif 000008
【図７】
2010231630.tif 000009
【図８】
2010231630.tif 000010
【図９】
2010231630.tif 000011
【図１０】
2010231630.tif 000012
【図１１】
2010231630.tif 000013
【図１２】
2010231630.tif 000014
【図１３】
2010231630.tif 000015
【図１４】
2010231630.tif 000016
【図１５】
2010231630.tif 000017